(57)【要約】      （修正有）【課題】携帯電話、スマートフォン、タブレット、テレビ、パソコンなどの液晶機器、およびその周辺機器の外表面に付着した汚れ（主として皮脂汚れ）を電解水を用いて拭き取ることが可能な清掃具を提供する。【解決手段】容器１２内に電解水を注入する一方、容器１２の上端に設けた電解水注入口１１に浸透性を有する素材からなる拭き取り部１３を装着し、かつ容器１２の上端部に拭き取り部１３をカバーするトップキャプ１４を着脱自在に設ける。【選択図】図１
0003213130.tif 000002
【実用新案登録請求の範囲】
【請求項１】
容器内に電解水を注入する一方、前記容器の上端に設けた電解水注入口に浸透性を有する素材からなる拭き取り部を装着し、かつ前記容器の上端部に前記拭き取り部をカバーするトップキャプを着脱自在に設けてなる清掃具。
【請求項２】
前記容器の側面に拭き取り部を設けてなる請求項１記載の清掃具。
【請求項３】
前記容器の底部に皮脂汚れ拭き取り部を設け、かつ前記容器の底部に前記皮脂よごれ拭き取り部をカバーするボトムキャプを着脱自在に設けてなる請求項１記載の清掃具。
【請求項４】
容器をスティック状に形成してなる、請求項１〜３いずれかに記載の清掃具。
【請求項５】
容器をスクエア状に形成してなる、請求項１〜４いずれかに記載の清掃具。
【請求項６】
電解水に防カビ剤を添加してなる、請求項１〜５いずれかに記載の清掃具。
【請求項７】
防カビ剤の添加量が電解水に対して、0.25〜1.5重量％である、請求項６記載の清掃具。
【考案の詳細な説明】
【技術分野】
【０００１】
本考案は、携帯電話、スマートフォン、タブレット、iPad、パソコン、テレビなどの液晶画面を持つ液晶機器（以下「液晶機器」ともいう）、おびその周辺機器の表面に付着した汚れ（特に皮脂汚れ）を、電解水（例えば、アルカリ電解水）を用いて拭き取る清掃具に関する。
【背景技術】
【０００２】
例えば、上記スマートフォンは、その液晶画面にタッチした指先によって、アイコンなどを操作するため、指先の皮脂などが液晶画面に付着し、次第に画面が見え難くなる。
【０００３】
上記液晶画面に付着した皮脂汚れは、例えば布切れやティッシュペーパーなどを用いて拭き取っているが、皮脂よごれをきれいに拭き取ることは難しい。そこで、鋭意検討の結果、本考案者らは、洗浄力の高い電解水に着目して本考案を創作するに至った。
【０００４】
従来、電解水、例えばアルカリ電解水を用いたクリーナーとしては、株式会社レックの「激落ちくん」、あるいは株式会社Ｎｒｆ２の「Ｃｌｅｗ（クリュー）」などが市販されているが、前者は冷蔵庫、食器、電子レンジなどの大型家庭電器製品の洗浄クリーナーであり、後者は電子タバコ（ＩＱＯＳ）専用のクリーナーである。そして、両者は、いずれもスプレー式で、アルカリ電解水を吹き付けて、汚れを除去するタイプであり、液晶画面などに付着した皮脂汚れを拭き取るという概念は持っていない。
【０００５】
なお、アルカリ電解水が洗浄能力を有していることを記載した文献としては、例えば下記の非特許文献１がある。
【先行技術文献】
【特許文献】
【０００６】
【非特許文献１】菊地憲次「環境に優しい洗浄  強アルカリ性電解水の洗浄能力とその化学的要因」『医工学治療』１９（Ｓｕｐｐｌ）（通号５６）、２００７年２月、４３頁
【考案の開示】
【考案が解決しようとする課題】
【０００７】
本考案は、携帯電話、スマートフォン、タブレット、iPad、テレビ、パソコンなどの液晶機器、およびその周辺機器の外表面に付着した汚れ（主として皮脂汚れ）を電解水（例えば、アルカリ電解水）を用いて拭き取ることが可能な清掃具を提供することにある。
【課題を解決するための手段】
【０００８】
請求項１に係わる考案は、容器内に電解水を注入する一方、前記容器の上端に設けた電解水注入口に浸透性を有する素材からなる拭き取り部を装着し、かつ前記容器の上端部に前記拭き取り部をカバーするトップキャプを着脱自在に設けてなるものである。
【０００９】
請求項２に係わる考案は、前記容器の側面に拭き取り部を設けてなるものである。
【００１０】
請求項３に係わる考案は、前記容器の底部に皮脂汚れ拭き取り部を設け、かつ前記容器の底部に前記皮脂よごれ拭き取り部をカバーするボトムキャプを着脱自在に設けてなるものである。
【００１１】
請求項４に係わる考案は、容器がスティック状を呈している。
【００１２】
請求項５に係わる考案は、容器がスクエア状を呈している。
【００１３】
請求項６に係わる考案は、電解水に防カビ剤を添加してなるものである。
【００１４】
請求項７に係わる考案は、防カビ剤の添加量が電解水に対して、0.25〜1.5重量％添加したものである。
【考案の効果】
【００１５】
本考案は、容器内に電解水を注入する一方、前記容器内の上端に設けた電解水注入口に浸透性を有する素材からなる拭き取り部を装着し、かつ前記容器の上端部に前記拭き取り部をカバーするトップキャップを着脱自在に設けたものであるから、トップキャプを外して容器を傾けると、電解水が浸透して拭き取り部が湿潤される。次に、電解水で湿潤した拭き取り部によって、前記液晶機器、おびその周辺供給の外表面を拭き取りすると、電解水の洗浄作用と拭き取り部による拭き取り作用の相乗効果によって、前記液晶機器およびその周辺機器の外表面に付着していた皮脂汚れなどを綺麗に拭き取ることができる。皮脂汚れの拭き取り除去作業後、トップキャップによって拭き取り部をカバーする。
【００１６】
また、前記容器の側面に皮脂汚れ拭き取り部を設けることにより、拭き取り部による拭き取り作業後、前記皮脂汚れ拭き取り部によって、皮脂汚れを綺麗に拭き取ることができる。
【００１７】
また、前記容器の底部に皮脂汚れ拭き取り部を設け、かつ前記容器の底部に前記皮脂汚れ拭き取り部をカバーするボトムキャップを着脱自在に設けることにより、拭き取り部による拭き取り作業後、前記皮脂汚れ拭き取り部によって、皮脂汚れを綺麗に拭き取ることができる。
【００１８】
また、携帯電話、スマートフォン、タブレット、iPad、パソコン、テレビなどの液晶機器に対しては、スティック状の清掃具の適用が好ましく、前記液晶機器の周辺機器に対しては、スクエア状の清掃具の適用が好ましい。
また、電解水に防カビ剤を添加することにより、浸透性を有する素材からなる拭き取り部のカビの発生が抑制される。
【図面の簡単な説明】
【００１９】
【図１】本考案に係わるスティック状清掃具の斜視図である。
【図２】本考案に係わるスティック状清掃具の拭き取り作業を示す説明図である。
【図３】本考案に係わる第２のスティック状清掃具の斜視図である。
【図４】本考案に係わる第２のスティック状清掃具の電解水塗布作業を示す説明図である。
【図５】本考案に係わる第２のスティック状清掃具の拭き取り作業を示す説明図である。
【図６】本考案に係わる第３のスティック状清掃具の斜視図である。
【図７】本考案に係わる第３のスティック状清掃具の電解水塗布作業を示す説明図である。
【図８】本考案に係わる第３のスティック状清掃具の拭き取り作業を示す説明図である。
【図９】本考案に係わるスクエア状清掃具の正面図である。
【考案を実施するための形態】
【００２０】
本考案の清掃具は、スティック状、あるいはスクエア状（ボックス状）の２種類に大別されるが、最初にスティック状の清掃具について説明し、次にスクエア状の清掃具について説明する。
【００２１】
スティック状清掃具（その１）
図１に示すように、本考案に係わるスティック状の清掃具１０は、上端に電解水注入口１１を設けたスティック状の容器１２と、前記電解水注入口１１に装着した拭き取り部１３と、この拭き取り部１３をカバーするトップキャップ１４とから構成されている。このトップキャップ１４は、前記容器１２の上端に着脱自在に設けられている。また、前記トップキャップ１４は、ヒンジ１５を介して前記容器１２の側部に連結されている。しかし、所望により、ヒンジ１５を省略してもよい。
【００２２】
前記拭き取り部１３は、例えばスポンジ、不織布、フェルトなどの液体が浸透し易い浸透性の素材から形成されている。この拭き取り部１３は、電解水注入口１１よりも突出するように、凸状に形成されている。
【００２３】
また、前記容器１２の中には、電解水（例えば、アルカリ電解水）が注入されている。ここで、アルカリ電解水としては、ｐＨ１１以上、例えばｐＨ１１〜１１．５の強アルカリ性の電解水が好ましい。また、所望により、アルカリ電解水には、防カビ剤を添加してもよい。
【００２４】
防カビ剤としては、抗菌性のカチオン系界面活性剤が使用される。この界面活性剤の例には、例えば、塩化ベンザルコニウム、塩化ベンゼトニウム、塩化ステアリルジメチルベンジルアンモニウム、塩化ステアリルトリメチルアンモニウム、塩化ジステアリルジメチルアンモニウム、塩化ステアリルペンタエトキシアンモニウム、塩化メチルベンゼトニウム、塩化セチルピリジニウム、臭化アルキルイソキノリウム、臭化ドミフェンなどがある。また、フェニルアミド系、銅化合物系、ビグアナイド系、ピリドン系、ナフチリジン系、ベンゾピリジン系、無機系、銀系などの防カビ剤を使用することができる。
なお、防カビ剤の使用量は、電解水に対して、0.25〜1.5重量％、好ましくは0.25〜0.75重量％程度である。
【００２５】
次に、前記スティック状の清掃具１０によって、スマートフォン２０の液晶画面に付着した皮脂汚れを拭き取る場合について説明する。
【００２６】
上記のように、容器１２の中にアルカリ電解水が注入されているから、トップキャップ１４を外して容器１２を傾けると、拭き取り部１３がアルカリ電解水によって湿潤される。
次に、図２に示すように、アルカリ電解水で湿潤された拭き取り部１３によって、スマートフォン２０の液晶画面２１を拭き取ると、アルカリ電解水による洗浄作用と、拭き取り部１３による拭き取り作用によって、スマートフォン２０の液晶画面２１に付着している皮脂汚れが綺麗に拭き取りされる。拭き取り作業後、拭き取り部１３をトップキャップ１４によってカバーする。
【００２７】
スティック状清掃具（その２）
本考案に係わるスティック状の清掃具３０は、図３に示すように、スティック状の容器１２の側面に皮脂汚れ拭き取り部３１を設けている。この皮脂よごれ拭き取り部３１は、シート状のスポンジ、不織布、フェルトなどで構成され、所定の形状、および寸法に裁断したのち、例えば接着剤などによって、スティック状の容器１２の側面に貼り付けられている。
【００２８】
それ以外の構造は、既に説明したスティック状の清掃具１０（第１の実施形態参照）と相違しないので、同じ部位に同じ符号を付して詳しい説明は省略する。さらに、電解水（例えば、アルカリ電解水）のｐＨ値、防カビ剤の有無、および防カビ剤の添加量についても、既に説明した第１の実施態様と変わりがないので、説明を省略する。
【００２９】
次に、このスティック状の清掃具３０によるスマートフォン２０の皮脂汚れの拭き取り作業について説明する。
【００３０】
トップキャップ１４を外して、スティック状の容器１２を傾けると、拭き取り部１３がアルカリ電解水によって湿潤されるので、図４に示すように、拭き取り部１３によって、スマートフォン２０の液晶画面２１にアルカリ電解水ａを塗布する。次に、図５に示すように、スティック状の容器１２の側面に設けた皮脂汚れ拭き取り部３１によってスマートフォン２０液晶画面２１に付着している皮脂汚れが綺麗に拭き取られる。その後、皮脂汚れ拭き取り部１３をトップキャップ１４でカバーする。
【００３１】
スティック状の清掃具（その３）
本考案に係わるスティック状の清掃具４０は、図６に示すように、スティック状の容器１２の底部に皮脂汚れ拭き取り部４１を設け、さらに前記容器１２の底部に前記皮脂汚れ拭き取り部４１をカバーするボトムキャップ４２を着脱自在に設けている。このボトムキャップ４２は、ヒンジ４３を介して容器１２の側部に接続されている。しかし、所望により、ヒンジ４３を省略してもよい。
【００３２】
前記皮脂汚れ拭き取り部４１は、拭き取り性に優れたスポンジ、不織布、フェルトなどから構成され、接着剤によってスティック状の容器１２の底部に貼り付けられている。
【００３３】
それ以外の構造は、既に説明したスティック状の清掃具１０（第１の実施形態参照）と相違しないので、同じ部位に同じ符号を付して詳しい説明は省略する。さらに、電解水（例えば、アルカリ電解水）のｐＨ値、防カビ剤の有無、および防カビ剤の添加量についても、既に説明した第１の実施態様と変わりがないので、説明を省略する。
【００３４】
次に、このスティック状の清掃具４０によるスマートフォン２０の皮脂汚れの拭き取り作業について説明する。
【００３５】
トップキャップ１４を外して、スティック状の容器１２を傾けると、拭き取り部１３がアルカリ電解水によって湿潤されるので、図７に示すように、拭き取り部１３によって、スマートフォン２０の液晶画面２１にアルカリ電解水ａを塗布する。次に、図８に示すように、スティック状の容器１２の底部に設けた皮脂汚れ拭き取り部４１によってスマートフォン２０液晶画面２１に付着している皮脂汚れが綺麗に拭き取られる。その後、トップキャップ１４によって拭き取り部１３をカバーし、ボトムキャップ４２によって、皮脂汚れ拭き取り部４１をカバーする。
【００３６】
スクエア状の清掃具
本考案に係わる生装具５０は、上端に開口部５１を有する扁平なボックス状の容器５２と、この容器５２内に装填されたマット状の拭き取り部５３と、この拭き取りぶ５３をカバーするトレイ状のトップキャップ５４から構成されている。
【００３７】
前記拭き取り部５３は、その上面５５が前記容器５２の上端部５６よりも上方に盛り上がり、拭き取り作業に適するようになっている。また、拭き取り部５３は、アルカリ電解水などの電解水を浸透し易い、スポンジ、不織布、あるいはフェルトなどの素材から構成されている。
【００３８】
また、前記容器５２の中には、電解水（例えば、アルカリ電解水）が注入されているが、電解水（例えば、アルカリ電解水）のｐＨ値、防カビ剤の有無、および防カビ剤の添加量については、既に説明した第１の実施態様と変わらないので省略する。
【００３９】
このスクエア状の清掃具５０は、スティック状の清掃具１０、３０、４０に較べて、拭き取り部５３の面積が広いので、キーボードやテレビ画面などの周辺機器の拭き取り作業に適している。
【符号の説明】
【００４０】
１１  電解水注入口
１２  容器
１３  拭き取り部
１４  トップキャップ
【図１】
0003213130.tif 000003
【図２】
0003213130.tif 000004
【図３】
0003213130.tif 000005
【図４】
0003213130.tif 000006
【図５】
0003213130.tif 000007
【図６】
0003213130.tif 000008
【図７】
0003213130.tif 000009
【図８】
0003213130.tif 000010
【図９】
0003213130.tif 000011